(57)【要約】【課題】ボタンの操作性を損なうことなく、ボタンの耳障りながたつき音と操作音の発生を防止することが可能なリモートコントローラを提供する。【解決手段】電子機器を遠隔操作する信号を発信する回路およびタクトスイッチ６５を実装した基板６と、スイッチ６５を押圧して動作させるボタン７と、基板６およびスイッチ６５を内部に収納しボタン７を押し操作可能に保持するケース２を備えたリモートコントローラにおいて、ボタン７に、押圧部７２とアーム部７３とフランジ部７５を設け、ケース２に、アーム部７３を基板６と垂直に回転可能に支持する支持部２３と、スイッチ６５が有する弾性力より弱い弾性力を有するフック部２５を設け、支持部２３でアーム部７３を回転可能に支持し、スイッチ６５で押圧部７２を基板６側から支持し、フック部２５でフランジ部７５をケース側２から支持して、ボタン７を押し操作で揺動可能な状態で静止させて保持する。【選択図】図４
2007281631.tif 000002
【特許請求の範囲】
【請求項１】
電子機器を遠隔操作する複数の操作用ボタンと、各操作用ボタンに対応する信号を発信する回路と、各操作用ボタンを光らせる照明と、前記照明を動作させるタクトスイッチと、前記タクトスイッチを押圧して前記照明を点灯させる照明用ボタンと、前記回路、前記照明、および前記タクトスイッチを実装した基板と、前記基板を内部に収納し前記操作用ボタンおよび前記照明用ボタンを押し操作可能に外部へ突出させて保持するケースとを備え、前記ケースの前記操作用ボタンと反対側にあって前記ケースを手で使用態様に把持したときに指が触れる位置に前記照明用ボタンを配置したリモートコントローラにおいて、
前記基板の前記照明用ボタンと対向する位置に、前記タクトスイッチを配置し、
前記照明用ボタンの中央部に、前記タクトスイッチを押圧する押圧部を一体的に設け、
前記照明用ボタンの一方の端部に、前記タクトスイッチと反対側へ突出するアーム部を一体的に設け、
前記照明用ボタンの一方の端部と反対側の他方の端部に、前記アーム部および前記タクトスイッチと反対側へ突出するフランジ部を一体的に設け、
前記ケースの前記アーム部と対向する位置に、前記アーム部の先端を前記基板に対して垂直に回転可能に支持する支持部を一体的に設け、
前記ケースの前記フランジ部と対向する位置に、前記タクトスイッチより弱い弾性力を有するフック部を一体的に設け、
前記支持部で前記アーム部を回転可能に支持し、前記タクトスイッチで前記押圧部を前記基板側から支持し、前記フック部で前記フランジ部を前記基板と反対側から支持して、前記照明用ボタンを押し操作で揺動可能な状態で静止させて保持し、
前記タクトスイッチによる前記押圧部の支持点に対して、前記支持部による前記アームの支持点を遠ざけ、前記フック部による前記フランジ部の支持点を近づけたことを特徴とするリモートコントローラ。
【請求項２】
電子機器を遠隔操作する信号を発信する回路と、押し込み型のスイッチと、前記回路および前記スイッチを実装した基板と、前記スイッチを押圧して動作させるボタンと、前記基板および前記スイッチを内部に収納しかつ前記ボタンを押し操作可能に保持するケースとを備えたリモートコントローラにおいて、
前記ケースに、前記ボタンを前記基板に対して近づく方向または遠ざかる方向へ移動可能に支持する支持部と、前記スイッチが有する弾性力より弱い弾性力を有する弾性部を設け、
前記ボタンを、前記支持部で移動可能に支持し、前記スイッチで前記基板側から支持し、前記弾性部で前記基板と反対側から支持して、押し操作可能な状態で静止させて保持することを特徴とするリモートコントローラ。
【請求項３】
請求項２に記載のリモートコントローラにおいて、
前記支持部と前記弾性部を前記ケースに一体的に設けたことを特徴とするリモートコントローラ。
【請求項４】
請求項２または請求項３に記載のリモートコントローラにおいて、
前記基板の前記ボタンと対向する位置に、前記スイッチを配置し、
前記ボタンの中央部に、前記スイッチを押圧する押圧部を設け、
前記ボタンの一方の端部に、前記スイッチと反対側へ突出する第１の突出部を設け、
前記ボタンの一方の端部と反対側の他方の端部に、前記第１の突出部および前記スイッチと反対側へ突出する第２の突出部を設け、
前記ケースの前記支持部で前記第１の突出部の先端を前記基板に対して垂直に回転可能に支持し、前記スイッチで前記押圧部を前記基板側から支持し、前記ケースの前記弾性部で前記第２の突出部を前記基板と反対側から支持して、前記ボタンを押し操作で揺動可能な状態で静止させて保持し、
前記スイッチによる前記押圧部の支持点に対して、前記支持部による前記第１の突出部の支持点を遠ざけ、前記弾性部による前記第２の突出部の支持点を近づけたことを特徴とするリモートコントローラ。
【請求項５】
請求項４に記載のリモートコントローラにおいて、
前記押圧部、前記第１の支持部、および前記第２の支持部を前記ボタンに一体的に設けたことを特徴とするリモートコントローラ。
【発明の詳細な説明】
【技術分野】
【０００１】
本発明は、電子機器を遠隔操作するリモートコントローラのボタンのがたつき防止構造に関するものである。
【背景技術】
【０００２】
図６は、従来のリモートコントローラ（以下、「リモコン」という。）５０の分解図である。このリモコン５０は、電子機器の一例であるプロジェクタ等を遠隔操作するものである。１はトップケース、２Ａはボトムケース、３はフロントカバーである。トップケース１とボトムケース２Ａは、透光性を有しない合成樹脂を射出成形して形成されている。フロントカバー３は、透光性を有する合成樹脂を射出成形して形成されている。ボトムケース２Ａの前側にフロントカバー３を装着して、ボトムケース２Ａに上側からトップケース１を嵌め込むことで、トップケース１とボトムケース２Ａとフロントカバー３は組み立てられる。トップケース１とボトムケース２Ａは、公知のロック構造とねじ９によるねじ止め構造により固定される。ボトムケース２Ａには、図示しない電池を収納する電池収納部２１が設けられている。電池収納部２１は、下側に向かって開口している。４は電池蓋である。電池蓋４は、透光性を有しない合成樹脂を射出成形して形成されている。電池蓋４は、ボトムケース２Ａに着脱可能に取り付けられて、電池収納部２１を開閉する。８１〜８３は電池収納部２１に装着される接続片である。接続片８１〜８３は、電池収納部２１に収納された電池のプラス極とマイナス極に接触する。
【０００３】
５はボタンシートである。ボタンシート５は、透光性を有する合成ゴムを成形して形成されている。ボタンシート５には、プロジェクタ等を遠隔操作するための複数の操作用ボタン５１が一体的に設けられている。６は基板である。基板６は、ガラスエポキシ樹脂等から形成されている。基板６の上面には、複数の接点６１とＬＥＤ６２が実装されている。各接点６１は、各操作用ボタン５１に対応するように設けられている。各ＬＥＤ６２は、各操作用ボタン５１を照らして光らせる照明である。ボタンシート５は、各操作用ボタン５１の下面と各接点６１とが対向するように、基板６の上面に載置される。ボタンシート５と基板６は、ケース１、２Ａの内部に収納される。その収納状態で、基板６は、ケース１、２Ａに上下から挟まれ、ボトムケース２Ａに側方を保持されて固定される。ボタンシート５は、トップケース１と基板６に上下から挟まれ、ケース１、２Ａに側方を保持されて固定される。各操作用ボタン５１は、トップケース１に形成された各孔１１から外部へ突出して、指で押し操作可能になる。各操作用ボタン５１を押し操作すると、該ボタン５１が対応する接点６１を押圧して、該接点６１がＯＮ状態（導通状態）になる。
【０００４】
基板６の下面には、ライト６３、発光ダイオード６４、タクトスイッチ６５、および接続片８２、８３が実装されている。ライト６３は、フロントカバー３に形成された孔３１から外部へ突出して前方を照らす。発光ダイオード６４は、図示しないプロジェクタ等の本体に設けられた受信部へ赤外線光の信号を発信する。フロントカバー３は、発光ダイオード６４の赤外線光を透過させる。タクトスイッチ６５は、押し込み型のスイッチの一例であって、ＬＥＤ６２を動作させる。電池収納部２１に収納された電池の電力は、接続片８１〜８３を介して基板６へ供給される。基板６の各層には、各操作用ボタン５１に対応したプロジェクタ等の操作信号を各接点６１のＯＮ時に発光ダイオード６４から発信するための回路、タクトスイッチ６５のＯＮ時にＬＥＤ６２を点灯させるための回路、所定の接点６１のＯＮ時にライト６３を点灯させるための回路、および電池の電力を基板６の各部へ供給する回路等が実装されている（それぞれ図示省略）。
【０００５】
７Ａはタクトスイッチ６５を押圧してＬＥＤ６２を点灯させる照明用ボタンである。照明用ボタン７Ａは、透光性を有しない合成樹脂を射出成形して形成されている。照明用ボタン７Ａは、基板６とボトムケース２Ａの間でボトムケース２Ａに保持され、ボトムケース２Ａに形成された孔２２から外部へ突出して、指で押し操作可能になる。照明用ボタン７Ａと孔２２は、操作用ボタン５１と反対側にあって、ケース１、２Ａを手で使用態様に把持したとき、即ち操作用ボタン５１を指で操作できるようにケース１、２Ａを手で把持したときに、該手のいずれかの指が触れるボトムケース２Ａの位置に配置されている。
【０００６】
図７は、リモコン５０を組み立てた状態での照明用ボタン７Ａの近傍を示す断面図である。照明用ボタン７Ａの中央部のボトムケース２Ａ側には、指で押し操作する操作部７１が一体的に設けられている。照明用ボタン７Ａの中央部の内側には、タクトスイッチ６５の可動部６６を押圧する押圧部７２が一体的に設けられている。タクトスイッチ６５の内部には、可動部６６が押し込まれることでＯＮ状態（導通状態）になる接点と、可動部６６を所定の弾性力で突出させるばねが設けられている（それぞれ図示省略）。照明用ボタン７Ａの後方側の端部には、２本のアーム部７３が一体的に設けられている。各アーム部７３の先端には、図６に示すように外向きに突出する軸部７４が一体的に設けられている。ボトムケース２Ａの各アーム部７３と対向する位置には、図７に示すように支持部２３が一体的に設けられている。各支持部２３には、各軸部７４を嵌め込む軸孔２４が形成されている。各支持部２３は、各軸孔２４に嵌め込まれた各軸部７４を各軸孔２４の縁で基板６に対して垂直に回転可能に支持する。照明用ボタン７Ａは、各支持部２３で各アーム部７３を回転可能に支持され、タクトスイッチ６５で押圧部７２を基板６側から支持されることで、操作部７１をボトムケース２Ａの孔２２から外部へ突出させた状態で保持されている。
【０００７】
照明用ボタン７Ａの操作部７１を指で基板６側へ押し操作すると、照明用ボタン７Ａが軸部７４を中心にして基板６に近づく方向へ回転して揺動し、押圧部７２がタクトスイッチ６５の可動部６６を押し込む。すると、タクトスイッチ６５の内部の接点がＯＮ状態になり、基板６の上面のＬＥＤ６２が点灯して、各操作用ボタン５１が光る。その後、操作部７１の上記押し操作を解除すると、タクトスイッチ６５の可動部６６が内部のばねの弾性力により突出して、押圧部７２をボトムケース２Ａ側へ押し、照明用ボタン７Ａが軸部７４を中心にして基板６から離れる方向へ回転して揺動し、操作部７１が孔２２から突出する。すると、タクトスイッチ６５の内部の接点がＯＦＦ状態になり、ＬＥＤ６２が消灯して、各操作用ボタン５１が光らなくなる。
【０００８】
上記のように照明用ボタン７Ａを揺動可能にするため、照明用ボタン７Ａとボトムケース２Ａおよび基板６の間には、図７に示すように遊びとなる隙間Ｓａ、Ｓｂが設けられている。しかしこのように隙間Ｓａ、Ｓｂを設けると、リモコン５０が手で把持されて振れたときに、照明用ボタン７Ａがボトムケース２Ａと基板６の間でがたついて、ボトムケース２Ａとタクトスイッチ６５に衝突し、耳障りな音が発生してしまう。これを防止するため、隙間Ｓａ、Ｓｂを極めて小さくすることが考えられるが、そうすると、タクトスイッチ６５が浮いた状態で基板６に実装された場合に、タクトスイッチ６５の可動部６６が押圧部７２で常時押し込まれた状態になり、照明用ボタン７Ａの操作量が少なくなる等のように操作性を損なってしまう。
【０００９】
一方、下記の特許文献１には、ケースの側面にプッシュスイッチを押圧するサイドボタンをプッシュスイッチから離間させて配置し、該サイドボタン自体にまたはケース内に配置される複数の操作用ボタンを有するボタンシートにヒンジ形状のリブを設けて、該リブでサイドボタンの一方の端部をケースの内面に押し付けて操作可能に保持するリモコンが開示されている。しかしこのようにすると、サイドボタンを押し操作したときに、サイドボタンがプッシュスイッチに衝突して、耳障りな音が発生し、また該操作を解除したときに、サイドボタンがリブの弾性力によりケースに衝突して、耳障りな音が発生してしまうことがある。
【００１０】
【特許文献１】実開平３−８２９９２号公報
【発明の開示】
【発明が解決しようとする課題】
【００１１】
本発明は、上述した問題点を解決するものであって、その課題とするところは、ボタンの操作性を損なうことなく、ボタンの耳障りながたつき音と操作音の発生を防止することが可能なリモートコントローラを提供することにある。
【課題を解決するための手段】
【００１２】
本発明では、電子機器を遠隔操作する信号を発信する回路と、押し込み型のスイッチと、回路およびスイッチを実装した基板と、スイッチを押圧して動作させるボタンと、基板およびスイッチを内部に収納しかつボタンを押し操作可能に保持するケースとを備えたリモートコントローラにおいて、ケースに、ボタンを基板に対して近づく方向または遠ざかる方向へ移動可能に支持する支持部と、スイッチが有する弾性力より弱い弾性力を有する弾性部を設け、ボタンを、支持部で移動可能に支持し、スイッチで基板側から支持し、弾性部で基板と反対側から支持して、押し操作可能な状態で静止させて保持する。
【００１３】
このように、ボタンをケースの支持部および弾性部とスイッチにより押し操作可能な状態、即ちケースと基板から離間した状態で静止させて保持すると、ボタンの未操作時に、ボタンの基板に対して近づく方向と遠ざかる方向以外への移動が支持部により抑制され、ボタンの基板に対して近づく方向と遠ざかる方向への移動がスイッチと弾性部により抑制されるので、ケースが振れたときのボタンのがたつきを無くすことができる。また、ボタンとスイッチが常に接して離間しないので、ボタンの押し操作時や該操作の解除時に、ボタンがスイッチに衝突するのを防止することができる。また、ボタンのスイッチによる支持点とケースの弾性部による支持点の位置関係が設計でまたは組み立て後の寸法誤差で変わることにより、ボタンと弾性部が常に接して離間しなくなるか、ボタンの押し操作時にのみ離間するようになるので、常に接して離間しなくなった場合には、ボタンの押し操作の解除時に、ボタンが弾性部に衝突するのを防止することができ、ボタンの押し操作時にのみ離間するようになった場合には、ボタンの押し操作の解除時に、ボタンの衝突を弾性部で緩衝することができる。さらに、ケースの弾性部の弾性力はスイッチの弾性力より弱いので、スイッチが浮いた状態で基板に実装された場合には、該浮いた分弾性部が変形して、スイッチがボタンで常時押し込まれた状態になるのを防止し、ボタンの所定の操作量を確保することができる。よって、ボタンの操作性を損なうことなく、ボタンの耳障りながたつき音と操作音の発生を防止することが可能となる。また、可動体であるボタンやケースの内部に配置される小型の他部品ではなく、ボタンや他部品より大型で固定体であるケースに支持部と弾性部を設けるので、支持部と弾性部の設計および設置を容易に行って、弾性部の弾性力を略設計通りに発揮させることが可能となる。
【００１４】
また、本発明の一実施形態では、上記において、支持部と弾性部をケースに一体的に設ける。
【００１５】
このようにすると、既存のケースの成形金型の改造等によって支持部と弾性部をケースに容易に設けることができ、支持部と弾性部をケースと別体で製作して設けるより、部品点数が少なく、コストを低く抑えることが可能となる。
【００１６】
また、本発明の一実施形態では、上記において、基板のボタンと対向する位置に、スイッチを配置し、ボタンの中央部に、スイッチを押圧する押圧部を設け、ボタンの一方の端部に、スイッチと反対側へ突出する第１の突出部を設け、ボタンの一方の端部と反対側の他方の端部に、第１の突出部およびスイッチと反対側へ突出する第２の突出部を設け、ケースの支持部で第１の突出部の先端を基板に対して垂直に回転可能に支持し、スイッチで押圧部を基板側から支持し、ケースの弾性部で第２の突出部を基板と反対側から支持して、ボタンを押し操作で揺動可能な状態で静止させて保持し、スイッチによる押圧部の支持点に対して、支持部による第１の突出部の支持点を遠ざけ、弾性部による第２の突出部の支持点を近づける。
【００１７】
このようにすると、ボタンの一方の端部とこの側方のケースの位置に第１の突出部と支持部を設け、反対側のボタンの他方の端部とこの側方のケースの位置に第２の突出部と弾性部を設けるので、ボタンの中央部とケースが対向する位置に各部を設けるより、設置スペースが広く、設計自由度が高く、各部の設計および設置を容易に行って、各部の機能を略設計通りに発揮させることが可能となる。また、ケースの支持部によってボタンの第１の突出部を回転可能に支持する支持点を、スイッチによって押圧部を基板側から支持する支持点よりできるだけ遠ざけることで、ボタンの押し操作時の操作ストロークを長くして、操作性を向上させることが可能となる。さらに、ケースの弾性部によってボタンの第２の突出部を基板と反対側から支持する支持点を、スイッチによって押圧部を基板側から支持する支持点にできるだけ近づけることで、ボタンの押し操作時の弾性部とスイッチの変位量の差を小さくして、弾性部とスイッチの弾性力の釣り合いとバランスを容易にとることができ、それによりボタンを第１の突出部の先端を中心にしてスムーズに回転させて揺動させ、操作性を向上させることが可能となる。
【００１８】
また、本発明の一実施形態では、上記において押圧部、第１の支持部、および第２の支持部をボタンに一体的に設ける。
【００１９】
このようにすると、既存のボタンの成形金型の改造等によって押圧部、第１の支持部、および第２の支持部をボタンに容易に設けることができ、押圧部、第１の支持部、および第２の支持部をボタンと別体で製作して設けるより、部品点数が少なく、コストを低く抑えることが可能となる。
【００２０】
さらに、本発明の典型的な実施形態では、電子機器を遠隔操作する複数の操作用ボタンと、各操作用ボタンに対応する信号を発信する回路と、各操作用ボタンを光らせる照明と、照明を動作させるタクトスイッチと、タクトスイッチを押圧して照明を点灯させる照明用ボタンと、回路、照明、およびタクトスイッチを実装した基板と、基板を内部に収納し操作用ボタンおよび照明用ボタンを押し操作可能に外部へ突出させて保持するケースとを備え、ケースの操作用ボタンと反対側にあってケースを手で使用態様に把持したときに指が触れる位置に照明用ボタンを配置したリモートコントローラにおいて、基板の照明用ボタンと対向する位置に、タクトスイッチを配置し、照明用ボタンの中央部に、タクトスイッチを押圧する押圧部を一体的に設け、照明用ボタンの一方の端部に、タクトスイッチと反対側へ突出するアーム部を一体的に設け、照明用ボタンの一方の端部と反対側の他方の端部に、アーム部およびタクトスイッチと反対側へ突出するフランジ部を一体的に設け、ケースのアーム部と対向する位置に、アーム部の先端を基板に対して垂直に回転可能に支持する支持部を一体的に設け、ケースのフランジ部と対向する位置に、タクトスイッチより弱い弾性力を有するフック部を一体的に設け、支持部でアーム部を回転可能に支持し、タクトスイッチで押圧部を基板側から支持し、フック部でフランジ部を基板と反対側から支持して、照明用ボタンを押し操作で揺動可能な状態で静止させて保持し、タクトスイッチによる押圧部の支持点に対して、支持部によるアームの支持点を遠ざけ、フック部によるフランジ部の支持点を近づける。
【００２１】
このようにすると、照明用ボタンの未操作時に、照明用ボタンの基板に対して近づく方向と遠ざかる方向以外への揺動がケースの支持部により抑制され、照明用ボタンの基板に対して近づく方向と遠ざかる方向への揺動がタクトスイッチとケースのフック部により抑制されるので、ケースが振れたときの照明用ボタンのがたつきを無くすことができる。また、照明用ボタンとタクトスイッチが常に接して離間しないので、照明用ボタンの押し操作時や該操作の解除時に、照明用ボタンがタクトスイッチに衝突するのを防止することができる。また、照明用ボタンとケースのフック部が常に接して離間しなくなった場合には、照明用ボタンの押し操作の解除時に、照明用ボタンがフック部に衝突するのを防止することができる。また、照明用ボタンとケースのフック部が照明用ボタンの押し操作時にのみ離間するようになった場合には、照明用ボタンの押し操作の解除時に、照明用ボタンの衝突をフック部で緩衝することができる。さらに、ケースのフック部の弾性力はタクトスイッチの弾性力より弱いので、タクトスイッチが浮いた状態で基板に実装された場合には、該浮いた分フック部が変形して、タクトスイッチが照明用ボタンで常時押し込まれた状態になるのを防止し、照明用ボタンの所定の操作量を確保することができる。よって、照明用ボタンの操作性を損なうことなく、照明用ボタンの耳障りながたつき音と操作音の発生を防止することが可能となる。また、可動体である照明用ボタンの両端部にアーム部とフランジ部を一体的に設け、大型で固定体であるケースに支持部とフック部を一体的に設けるので、設置スペースが広く、設計自由度が高く、部品点数が少なく、各部の設計および設置を容易かつ低コストで行って、各部の機能を略設計通りに発揮させることが可能となる。さらに、タクトスイッチによる押圧部の支持点に対して、支持部によるアーム部の支持点を遠ざけ、フック部によるフランジ部の支持点を近づけることで、照明用ボタンの押し操作時の操作ストロークを長くすることができ、フック部とタクトスイッチの変位量の差を小さくして力の釣り合いとバランスを容易にとることができ、それにより照明用ボタンをアーム部の先端を中心にしてスムーズに回転させて揺動させ、操作性を向上させることが可能となる。
【発明の効果】
【００２２】
本発明によれば、ケース振れ時のボタンのがたつきを防止でき、ボタン押し操作時や該操作の解除時にボタンのスイッチやケースへの衝突を防止または緩衝でき、スイッチが常時押し込まれるのを防いでボタンの操作量を確保することができるので、ボタンの操作性を損なうことなく、ボタンの耳障りながたつき音と操作音の発生を防止することが可能となる。
【発明を実施するための最良の形態】
【００２３】
図１は、本発明の実施形態に係るリモートコントローラ（以下、「リモコン」という。）１００の分解図である。このリモコン１００は、プロジェクタ等の電子機器２００（図２）を遠隔操作するものである。リモコン１００は、図６および図７に示した従来のリモコン５０に対して、ボトムケース２Ａと照明用ボタン７Ａに代えて、ボトムケース２と照明用ボタン７を用いている点が相違する。よって以下では、便宜上図６および図７と同一部分および対応する部分に同一符号を付し、重複する説明を省略する。
【００２４】
ボトムケース２は、透光性を有しない合成樹脂を射出成形して形成されている。ボトムケース２の前側にフロントカバー３を装着して、ボトムケース２に上側からトップケース１を嵌め込むことで、トップケース１とボトムケース２とフロントカバー３は組み立てられる。トップケース１とボトムケース２は、公知のロック構造とねじ９によるねじ止め構造により固定される。ボトムケース２には、電池収納部２１が下側に向かって開口するように設けられている。電池蓋４は、ボトムケース２に着脱可能に取り付けられて、電池収納部２１を開閉する。接続片８１〜８３は、電池収納部２１に装着されて、電池収納部２１に収納された図示しない電池のプラス極とマイナス極に接触する。
【００２５】
ボタンシート５には、電子機器２００を遠隔操作するための複数の操作用ボタン５１が一体的に設けられている。基板６の上面には、各操作用ボタン５１に対応する複数の接点６１と、各操作用ボタン５１を照らして光らせる照明としての複数のＬＥＤ６２が実装されている。ボタンシート５と基板６は、ケース１、２の内部に収納される。基板６は、ケース１、２に上下から挟まれ、ボトムケース２に側方を保持されて固定される。ボタンシート５は、トップケース１と基板６に上下から挟まれ、ケース１、２に側方を保持されて固定される。各操作用ボタン５１は、トップケース１に形成された各孔１１から外部へ突出して、指で押し操作可能になる。各操作用ボタン５１を押し操作すると、該ボタン５１が対応する接点６１を押圧して、該接点６１がＯＮ状態（導通状態）になる。
【００２６】
基板６の下面には、前方を照らすライト６３、図示しないプロジェクタ等の本体へ赤外線光の信号を発信する発光ダイオード６４、ＬＥＤ６２を動作させる押し込み型のスイッチの一例であるタクトスイッチ６５、および接続片８２、８３が実装されている。基板６の各層には、電気回路が実装されている。図２は、基板６の電気回路の構成を示す図である。基板６には、発信回路６ａ、点灯回路６ｂ、６ｃ、電源回路６ｄ等がそれぞれ実装されている。発信回路６ａは、各接点６１のＯＮ時に、各接点６１および各操作用ボタン５１に対応した電子機器２００の操作信号を、発光ダイオード６４から発信させる。発光ダイオード６４から発信された操作信号は、電子機器２００に備わる受信回路２００ａで受信される。点灯回路６ｂは、タクトスイッチ６５のＯＮ時に、ＬＥＤ６２を点灯させる。点灯回路６ｃは、所定の接点６１のＯＮ時に、ライト６３を点灯させる。電源回路６ｄは、電池の電力を接続片８１〜８３を介して基板６の各部へ供給する。
【００２７】
図１の照明用ボタン７は、タクトスイッチ６５を押圧してＬＥＤ６２を点灯させるためのボタンである。照明用ボタン７は、透光性を有しない合成樹脂を射出成形して形成されている。照明用ボタン７は、基板６とボトムケース２の間でボトムケース２に保持され、ボトムケース２に形成された孔２２から外部へ突出して、指で押し操作可能になる。照明用ボタン７と孔２２は、操作用ボタン５１と反対側にあって、ケース１、２を手で使用態様に把持したとき、即ち操作用ボタン５１を指で操作できるようにケース１、２を手で把持したときに、該手のいずれかの指が触れるボトムケース２の位置に配置されている。
【００２８】
図３は、リモコン１００を組み立てた状態での照明用ボタン７の近傍を示す斜視図である。図４は、リモコン１００を組み立てた状態での照明用ボタン７の近傍を示す断面図である。照明用ボタン７の中央部のボトムケース２側には、図４に示すように指で押し操作する操作部７１がボトムケース２の孔２２より若干小さな径で一体的に設けられている。照明用ボタン７の中央部の内側には、タクトスイッチ６５の可動部６６を押圧する押圧部７２が一体的に設けられている。タクトスイッチ６５の内部には、可動部６６が押し込まれることでＯＮ状態（導通状態）になる接点と、可動部６６を所定の弾性力で突出させるばねが設けられている（それぞれ図示省略）。照明用ボタン７の後方側（図１で左下側、図３で下側、図４で右側）の端部には、２本のアーム部７３がタクトスイッチ６５と反対側へ突出するように一体的に設けられている。アーム部７３は、第１の突出部の一実施形態である。各アーム部７３の先端には、図１に示すようにボトムケース２の短手方向と平行に外向きに突出する軸部７４が一体的に設けられている。ボトムケース２の各アーム部７３と対向する位置には、図４に示すように支持部２３が一体的に設けられている。各支持部２３には、各軸部７４を嵌め込む軸孔２４が形成されている。各支持部２３は、各軸孔２４に嵌め込まれた各軸部７４を各軸孔２４の縁で基板６に対して垂直に回転可能に支持する。
【００２９】
照明用ボタン７の前方側（図１で右上側、図３で上側、図４で左側）の端部には、フランジ部７５がアーム部７３およびタクトスイッチ６５と反対側へ突出するように一体的に設けられている。フランジ部７５は、第２の突出部の一実施形態である。ボトムケース２のフランジ部７５と対向する位置には、図３および図４に示すように鉤状のフック部２５が一体的に設けられている。フック部２５は、タクトスイッチ６５の内部のばねより弱い弾性力を有する。フック部２５は、弾性部の一実施形態である。図４に示すように、ボトムケース２の各支持部２３で照明用ボタン７の各アーム部７３を回転可能に支持し、タクトスイッチ６５の可動部６６で照明用ボタン７の押圧部７２を基板６側から支持し、ボトムケース２のフック部２５で照明用ボタン７のフランジ部７５を基板６と反対側（ボトムケース２側）から支持することで、照明用ボタン７は押し操作で軸部７４を中心に回転して基板６に対して近づく方向または遠ざかる方向へ揺動可能な状態、即ち操作部７１をボトムケース２の孔２２から外部へ突出させ、かつボトムケース２の内面と基板６の上面から離間した状態で静止して保持されている。ケース１、２の内部の他部品の配置の邪魔にならない範囲で、タクトスイッチ６５による押圧部７２の支持点に対して、支持部２３によるアーム部７３の支持点をできるだけ遠ざけ、フック部２５によるフランジ部７５の支持点をできるだけ近づけるように、タクトスイッチ６５、ボトムケース２の上記各部２３〜２５、および照明用ボタン７の上記各部７２〜７５はそれぞれ配置されている。
【００３０】
ボトムケース２の内面の孔２２の前後には、所定の高さの壁２６が一体的に設けられている。この壁２６に照明用ボタン７の段差部７６が衝突することで、照明用ボタン７の基板６から離れる方向への過度の揺動が制限される。ボトムケース２の壁２６と支持部２３の間には、図１および図３に示すように筒部２７が一体的に設けられている。照明用ボタン７の後方側の端部には、切欠き７７が設けられている。この切欠き７７の押圧部７２側の縁が筒部２７の周面に衝突することで、照明用ボタン７の基板６に近づく方向への過度の揺動が制限される。図４に示すように、照明用ボタン７とボトムケース２および基板６の間には、照明用ボタン７を揺動可能にするための遊びとなる隙間Ｓ１、Ｓ２が設けられている。隙間Ｓ１、Ｓ２の大きさは、タクトスイッチ６５がはんだ付け等により基板６から所定の高さで浮いた状態で実装された場合でも、照明用ボタン７の段差部７６とボトムケース２の壁２６とが接しない程度の大きさに設定されている。
【００３１】
照明用ボタン７の操作部７１を指で基板６側へ押し操作すると、照明用ボタン７が軸部７４を中心にして基板６に近づく方向へ回転して揺動し、押圧部７２がタクトスイッチ６５の可動部６６を押し込む。すると、タクトスイッチ６５の内部の接点がＯＮ状態になり、基板６の上面のＬＥＤ６２が点灯して、各操作用ボタン５１が光り、暗闇でも容易に操作可能となる。その後、操作部７１の上記押し操作を解除すると、即ち操作部７１から指を離すと、タクトスイッチ６５の可動部６６が内部のばねの弾性力により突出して、押圧部７２をボトムケース２側へ押し、照明用ボタン７が軸部７４を中心にして基板６から離れる方向へ回転して揺動し、操作部７１が孔２２から突出する。すると、タクトスイッチ６５の内部の接点がＯＦＦ状態になり、ＬＥＤ６２が消灯して、各操作用ボタン５１が光らなくなる。
【００３２】
以上によると、照明用ボタン７の剛体であるアーム部７３、フランジ部７５、および押圧部７２が、剛体であるボトムケース２の支持部７３、弾性体であるボトムケース２のフック部２５、弾性体であるタクトスイッチ６５の可動部６６により押し操作で回転揺動可能な状態、即ちボトムケース２と基板６から離間した状態で静止させて保持されるようになる。このため、照明用ボタン７の未操作時に、照明用ボタン７の基板６に対して近づく方向と遠ざかる方向以外への揺動が支持部２３により抑制され、照明用ボタン７の基板６に対して近づく方向と遠ざかる方向への揺動がタクトスイッチ６５の可動部６６とフック部２５により抑制されるので、ケース１、２が手で把持されて振れたときの照明用ボタン７のがたつきを無くすことができる。また、照明用ボタン７の押圧部７２とタクトスイッチ６５の可動部６６が常に接して離間しなくなるので、照明用ボタン７の押し操作時や該操作の解除時に、押圧部７２が可動部６６に衝突するのを防止することができる。また、タクトスイッチ６５の可動部６６による押圧部７２の支持点とフック部２５によるフランジ部７５の支持点の位置関係が設計でまたは組み立て後の寸法誤差で変わることにより、フランジ部７５とフック部２５が常に接して離間しなくなるか、照明用ボタン７の押し操作時にのみ離間するようになるので、常に接して離間しなくなった場合には、照明用ボタン７の押し操作の解除時に、フランジ部７５がフック部２５に衝突するのを防止することができ、照明用ボタン７の押し操作時にのみ離間するようになった場合には、照明用ボタン７の押し操作の解除時に、フランジ部７５の衝突をフック部２５で緩衝することができる。さらに、フック部２５の弾性力はタクトスイッチ６５の内部のばねの弾性力より弱いので、タクトスイッチ６５が浮いた状態で基板６に実装された場合には、該浮いた分フック部２５が変形して、タクトスイッチ６５の可動部６６が押圧部７２で常時押し込まれた状態になるのを防止し、照明用ボタン７の所定の操作量を確保することができる。よって、照明用ボタン７の操作性を損なうことなく、照明用ボタン７の耳障りながたつき音と操作音の発生を防止することが可能となる。
【００３３】
また、可動体である照明用ボタン７やボトムケース２の内部に配置される小型の他部品ではなく、照明用ボタン７や他部品より大型で固定体であるボトムケース２に支持部２３とフック部２５を設けるので、支持部２３とフック部２５の設計および設置を容易に行って、フック部２５の弾性力を略設計通りに発揮させることが可能となる。また、支持部２３とフック部２５をボトムケース２に一体的に設けるので、既存のボトムケースの成形金型の改造（例えば図６等に示した従来のボトムケース２Ａの成形金型へのフック部２５の成形用部品の追加）等によって、支持部２３とフック部２５をボトムケース２に容易に設けることができ、支持部２３とフック部２５をボトムケース２と別体で製作して設けるより、部品点数が少なく、コストを低く抑えることが可能となる。
【００３４】
また、照明用ボタン７の一方（後方側）の端部とこの側方のボトムケース２の位置にアーム部７３と支持部２３を設け、反対側の照明用ボタン７の他方（前方側）の端部とこの側方のボトムケース２の位置にフランジ部７５とフック部２５を設けるので、照明用ボタン７の中央部とボトムケース２が対向する位置に上記各部７３、２３、７５、２５を設けるより、設置スペースが広く、設計自由度が高く、各部７３、２３、７５、２５の設計および設置を容易に行って、各部７３、２３、７５、２５の機能を略設計通りに発揮させることが可能となる。また、支持部２３によってアーム部７３を回転可能に支持する支持点を、タクトスイッチ６５の可動部６６によって押圧部７２を基板６側から支持する支持点よりできるだけ遠ざけることで、照明用ボタン７の押し操作時の操作ストロークを長くして、操作性を向上させることが可能となる。また、フック部２５によってフランジ部７５を基板６と反対側から支持する支持点を、タクトスイッチ６５の可動部６６によって押圧部７２を基板６側から支持する支持点にできるだけ近づけることで、照明用ボタン７の押し操作時のフック部２５とタクトスイッチ６５の可動部６６の変位量の差を小さくして、フック部２５とタクトスイッチ６５の内部のばねの弾性力の釣り合いとバランスを容易にとることができる。そしてそれにより、照明用ボタン７を軸部７４を中心にしてスムーズに回転させて揺動させ、操作性を向上させることが可能となる。さらに、押圧部７２、アーム部７３、軸部７４、およびフランジ部７５を照明用ボタン７に一体的に設けるので、既存の照明用ボタンの成形金型の改造（例えば図６等に示した従来の照明用ボタン７Ａの成形金型へのフランジ部７５の成形用部品の追加）等によって、上記各部７２〜７５を照明用ボタン７に容易に設けることができ、各部７２〜７５を照明用ボタン７と別体で製作して設けるより、部品点数が少なく、コストを低く抑えることが可能となる。
【００３５】
本発明は、以上述べた実施形態以外にも種々の形態を採用することができる。例えば、以上の実施形態では、押し操作により揺動する照明用ボタン７に本発明を適用した例を挙げているが、本発明はこれ以外にも、例えば押し操作により平行移動するボタンにも適用することが可能である。図５は、この場合の実施形態を示す図である。本実施形態のリモコン１０１（全体の図示省略）のケース９２は、合成樹脂を射出成形して形成されている。ケース９２の内部には、基板９６と押し込み型のスイッチ９５が収納されている。基板９６には、スイッチ９５と、図示しない電子機器を遠隔操作する信号を発信するための回路および発光ダイオード等が実装されている。上記回路および発光ダイオードは、図２に示した発信回路６ａおよび発光ダイオード６４と同様である。スイッチ９５の内部には、可動部９５ａが押し込まれることでＯＮ状態になる接点と、可動部９５ａを所定の弾性力で突出させるばねが設けられている。スイッチ９５の上方には、押し操作によりスイッチ９５を押圧してＯＮ状態にするボタン９７が配置されている。ボタン９７は、合成樹脂を射出成形して形成されている。ボタン９７には、指で押し操作する操作部９７ａと、上下方向へ延びる軸部９７ｂが設けられている。軸部９７ｂには、基板９６およびケース９２と平行に側方へ突出する突出部９７ｃと、スイッチ９５の可動部９５ａを押圧する押圧部９７ｄが一体的に設けられている。ケース９２には、ボタン９７の操作部９７ａを嵌め込む凹部９２ａと、軸部９７ｂを貫通させる筒部９２ｂと、スイッチ９５の内部のばねより弱い弾性力を有するフック部９２ｃが一体的に設けられている。凹部９２ａおよび筒部９２ｂは、支持部の一実施形態であり、操作部９７ａおよび軸部９７ｂを上下方向へ平行移動可能に支持する。フック部９２ｃは、図１等に示したフック部２５と同様の形状をしていて、弾性部の一実施形態であり、突出部９７ｃを基板９６側へ押える。このフック部９２ｃに代えて、金属製若しくは合成樹脂製のばねまたはゴム等のようなケース９２と別体の弾性部材を、弾性部としてケース９２に取り付けて、突出部９７ｃを基板９６側へ押えるようにしてもよい。ケース９２の凹部９２ａおよび筒部９２ｂでボタン９７の操作部９７ａおよび軸部９７ｂを上下方向へ平行移動可能に支持し、スイッチ９５の可動部９５ａでボタン９７の押圧部９７ｄを基板９６側から支持し、ケース９２のフック部９２ｃでボタン９７の突出部９７ｃを基板９６と反対側から支持することで、ボタン９７は押し操作可能な状態で静止させて保持されている。
【００３６】
上記のように、ボタン９７の操作部９７ａ、軸部９７ｂ、突出部９７ｃ、および押圧部９７ｄを、ケース９２の凹部９２ａ、筒部９２ｂ、フック部９２ｃ、およびスイッチ９５の可動部９５ａにより押し操作可能な状態、即ちケース９２と基板９６から離間した状態で静止させて保持すると、ケース９２が振れたときのボタン９７のがたつきを無くすことができる。また、ボタン９７とスイッチ９５が常に接して離間しないので、ボタン９７の押し操作時や該操作の解除時に、ボタン９７がスイッチ９５に衝突するのを防止することができる。また、ボタン９７とケース９２のフック部９２ｃが常に接して離間しなくなるか、ボタン９７の押し操作時にのみ離間するようになるので、ボタン９７の押し操作の解除時に、ボタン９７がフック部９２ｃに衝突するのを防止し、またはボタン９７の衝突をフック部９２ｃで緩衝することができる。さらに、フック部９２ｃの弾性力はスイッチ９５の内部のばねの弾性力より弱いので、スイッチ９５が浮いた状態で基板９６に実装された場合には、該浮いた分フック部９２ｃが変形して、可動部９５ａが押圧部９７ｄで常時押し込まれた状態になるのを防止し、ボタン９７の所定の操作量を確保することができる。よって、ボタン９７の操作性を損なうことなく、ボタン９７の耳障りながたつき音と操作音の発生を防止することが可能となる。
【００３７】
以上の実施形態では、プロジェクタ等の電子機器２００を遠隔操作するリモコン１００、１０１に本発明を適用した例を挙げているが、本発明はこれ以外にも、例えばテレビやＤＶＤプレーヤ等のＡＶ機器や、エアコンや電灯等の家電機器といった各種の電子機器を遠隔操作するリモートコントローラに適用することが可能である。
【図面の簡単な説明】
【００３８】
【図１】本発明の実施形態に係るリモートコントローラの分解図である。
【図２】同リモートコントローラの基板の電気回路を示す図である。
【図３】同リモートコントローラの照明用ボタン近傍の斜視図である。
【図４】同リモートコントローラの照明用ボタン近傍の断面図である。
【図５】他の実施形態を示す図である。
【図６】従来のリモートコントローラの分解図である。
【図７】同リモートコントローラの照明用ボタン近傍の断面図である。
【符号の説明】
【００３９】
１  トップケース
２  ボトムケース
６  基板
６ａ  発信回路
７  照明用ボタン
２３  支持部
２４  軸孔
２５  フック部
５１  操作用ボタン
６２  ＬＥＤ
６５  タクトスイッチ
６６  可動部
７２  押圧部
７３  アーム部
７４  軸部
７５  フランジ部
９２  ケース
９２ａ  凹部
９２ｂ  筒部
９２ｃ  フック部
９５  スイッチ
９５ａ  可動部
９６  基板
９７  ボタン
９７ａ  操作部
９７ｂ  軸部
９７ｃ  突出部
９７ｄ  押圧部
１００  リモートコントローラ
１０１  リモートコントローラ
２００  電子機器
【図１】
2007281631.tif 000003
【図２】
2007281631.tif 000004
【図３】
2007281631.tif 000005
【図４】
2007281631.tif 000006
【図５】
2007281631.tif 000007
【図６】
2007281631.tif 000008
【図７】
2007281631.tif 000009